(57)【要約】【課題】アース線が接地用の端子に接続されていない旨等を表示できるようにすると共に、アース線が接地用の端子に接続されていない場合は機器本体の動作を制限できるようにする。【解決手段】電気機器で監視対象となるＧＮＤ端子７４に大地零電位に維持されるアース線Ｌｅが接続されているかを監視する場合に、コンデンサ７１の接地点からＧＮＤ端子７４に至る導電線Ｌｃを流れる漏れ電流を検出するＺＣＴコイル７２と、ここから得られる漏れ電流検出情報を入力して、大地零電位に維持されるアース線ＬｅがＧＮＤ端子７４に接続されているか否かを判別する検知処理ユニット７３とを備えるものである。この構成によって、漏れ電流がその導電線Ｌｃに流れない場合は、ＧＮＤ端子７４に大地零電位に維持されるアース線Ｌｅが接続されていないと判別できるようになる。【選択図】    図１
2008096106.tif 000002
【特許請求の範囲】
【請求項１】
少なくとも、電源供給線と、所定の位置に設けられた接地用の端子と、金属製の筐体又は基板と、前記金属製の筐体又は基板の所定位置に設けられた接地点と、一方が前記電源供給線に接続され、他方が前記接地点に接続された静電容量と、前記静電容量が接続された接地点と前記接地用の端子との間に接続された導電線とを備える電気機器で監視対象となる前記接地用の端子に大地零電位に維持される接地線が接続されているかを監視するための接地線接続監視装置であって、
前記静電容量の接地点から前記接地用の端子に至る導電線を流れる漏れ電流を検出する検出部と、
前記検出部から得られる漏れ電流検出情報を入力して、前記大地零電位に維持される接地線が前記接地用の端子に接続されているか否かを判別する判別部とを備えることを特徴とする接地線接続監視装置。
【請求項２】
前記判別部は、
前記検出部から得られる漏れ電流検出情報と基準設定情報とを比較して、前記大地零電位に維持される接地線が前記接地用の端子に接続されているか否かを判別することを特徴とする請求項１に記載の接地線接続監視装置。
【請求項３】
前記判別部は、
前記導電線に漏れ電流が流れる場合は、前記接地用の端子に大地零電位に維持される接地線が接続されていると判別し、
前記導電線に漏れ電流が流れない場合は、前記接地用の端子に大地零電位に維持される接地線が接続されていないと判別することを特徴とする請求項１に記載の接地線接続監視装置。
【請求項４】
前記判別部から出力される判別結果を表示する表示部を備えることを特徴とする請求項１に記載の接地線接続監視装置。
【請求項５】
電源供給線と、所定の位置に設けられた接地用の端子と、金属製の筐体又は基板と、前記金属製の筐体又は基板の所定位置に設けられた接地点と、一方が前記電源供給線に接続され、他方が前記接地点に接続された静電容量と、前記静電容量が接続された接地点と前記接地用の端子との間に接続された導電線とを有する機器本体と、
前記機器本体の接地用の端子に、大地零電位に維持される接地線が接続されているかを監視する接地線接続監視手段とを備え、
前記接地線接続監視手段は、
前記静電容量の接地点から前記接地用の端子に至る導電線中を流れる漏れ電流を検出する検出部と、
前記検出部から得られる漏れ電流検出情報を入力して、前記大地零電位に維持される接地線が前記接地用の端子に接続されているか否かを判別する判別部とを有することを特徴とする電気機器。
【発明の詳細な説明】
【技術分野】
【０００１】
この発明は、電源供給線に接続されて動作する浴室空調装置や、ミスト発生装置、給湯装置、ゴミ処理装置、洗濯機、冷蔵庫、ポンプ、用紙処理装置、電気式床暖房機、自動販売機等の電気機器に設けられた接地用の端子に、大地零電位に維持される接地線が接続されているか否かを監視するアース監視システムに適用して好適な接地線接続監視装置及びこれを応用した電気機器に関するものである。
【０００２】
詳しくは、空調装置、ゴミ処理装置、洗濯機、冷蔵庫、ポンプ、用紙処理装置、電気式床暖房機、自動販売機等の電気機器において、電源供給線に接続された静電容量の接地点と接地用の端子との間の導電線を流れる漏れ電流を検出して得られた漏れ電流検出情報を入力する判別部を備え、大地零電位に維持される接地線が接地用の端子に接続されているか否かを漏れ電流検出情報に基づいて判別できるようにして、漏れ電流が所定の導電線に流れる場合は、接地用の端子に大地零電位に維持される接地線が接続されていると判別できるようにすると共に、漏れ電流がその導電線に流れない場合は、接地用の端子に大地零電位に維持される接地線が接続されていないと判別できるようにしたものである。
【背景技術】
【０００３】
従来から、電気機器を使用する場合は、所定の接地用の端子にアース線を接続することが義務付けられている。特に、水やお湯を取り扱う電気機器には、感電を防止するために所定の接地用の端子が設けられる場合が多い。この種のアース線に関する工事は、電気工事士等の有資格施行業者に委ねられている。
【０００４】
従来例に係る電気機器によれば、内部配線の傷等が原因して筐体に漏電事故が生じた場合でも、アース線が真正に接地用の端子に接続されている場合は、配電盤や分電盤等の漏電遮断器が漏れ電流（零相電流）を検知して不良電路を遮断するようになされる。これにより、不本意な感電を防止して安全性を保つことができる。
【０００５】
この種の漏れ電流を検出する装置に関連して、特許文献１には、零相変流器内蔵型の接地コンデンサが開示されている。この接地コンデンサによれば、送配電系統において、接地補償用の３つのコンデンサを星形（スター）接続し、各コンデンサの一端を各々三相交流電源のＵ相、Ｖ相、Ｗ相に接続し、その他端である星形接続点（中性点）を接地用の端子に接続する。この端子を大地に接地する。そして、中性点から接地用の端子に至る導電線に零相変流器を設けて、導電線に流れる零相電流を検出するようになされる。このような接地コンデンサを一体型モールド構成とすることで、外装をコンパクトに抑えつつ、三相交流電圧不平衡時に、中性点に流れる零相電流を検出できるというものである。
【０００６】
また、特許文献２には、分電盤の分岐回路接続チェック装置が開示されている。このチェック装置によれば、接地工事を施した分電盤の分岐回路の接続をチェックする際に、零相変流器を備えた分電盤の分岐ブレーカ毎に零相電流が検出可能となされる親機と、この親機と通信可能な子機を備え、電気使用場所で分岐ブレーカ毎に負荷装置を接続し、当該分岐ブレーカの零相電流の検出情報を子機を介して親機から取得する。親機から取得した零相電流の検出結果は、表示手段に表示するようになされる。このようにチェック装置を構成すると、分電盤の接地極の大地への接続状態を子機で容易にチェックできるというものである。
【０００７】
更に、特許文献３には、漏電検出装置及びそれを具備する浴室空調装置が開示されている。この漏電検出装置によれば、漏電信号発生手段と判別手段とを備え、接地工事を施した浴室空調装置等で漏電が発生した場合に、漏電信号発生手段を構成するＺＣＴコイルは、漏電電流を検出して漏電信号を発生する。判別手段は、ＺＣＴコイルから出力される漏電電流を入力し、漏電電流がノイズであるか否かを判別するようになされる。このように漏電検出装置を構成すると、ノイズを伴う漏電の誤検出を低減できるというものである。
【０００８】
【特許文献１】特開平０７−２３５４４６号公報（第２頁  図１）
【特許文献２】特開２００３−１０７１２１号公報（第２頁  図１）
【特許文献３】特開２００５−２８３３７５号公報（第２頁  図３）
【発明の開示】
【発明が解決しようとする課題】
【０００９】
ところで、従来例に係る浴室空調装置や、ミスト発生装置、給湯装置、ゴミ処理装置、洗濯機、冷蔵庫、ポンプ、用紙処理装置、電気式床暖房機、自動販売機等の電気機器には、所定の位置に接地用の端子が設けられ、使用電圧に応じた接地工事が施される。特許文献１〜３に見られるような接地コンデンサ、分電盤及び浴室空調装置においても、アース線の接続は、通常、電気工事士等の有資格施行業者に委ねられている。
【００１０】
接地用の端子が目視点検困難な場所、例えば、筐体裏面の下方に配置され、その場所でアース線が接続される電気機器に関しては、アース線が接続なされていなかった場合であって、何かしら問題が起きた場合に初めて点検が行われる。従って、それまではアース線が接地用の端子から外れていることが発覚を遅らせる原因となる。因みに接地用の端子が設けられている電気機器については、アース線の接続は絶対に必要であり、アース線が接続された以後も、その接続の有無を確認できることが必要である。
【００１１】
そこで、この発明は上述した課題を解決したものであって、接地線が接地用の端子に接続されていない旨等を表示できるようにすると共に、接地線が接地用の端子に接続されていない場合は機器本体の動作を制限できるようにした接地線接続監視装置及び電気機器を提供することを目的とする。
【課題を解決するための手段】
【００１２】
上記課題を解決するために、本発明に係る接地線接続監視装置は、少なくとも、電源供給線と、所定の位置に設けられた接地用の端子と、金属製の筐体又は基板と、金属製の筐体又は基板の所定位置に設けられた接地点と、一方が電源供給線に接続され、他方が接地点に接続された静電容量と、静電容量が接続された接地点と接地用の端子との間に接続された導電線とを備える電気機器で監視対象となる接地用の端子に大地零電位に維持される接地線が接続されているかを監視するための接地線接続監視装置であって、静電容量の接地点から接地用の端子に至る導電線を流れる漏れ電流を検出する検出部と、この検出部から得られる漏れ電流検出情報を入力して、大地零電位に維持される接地線が接地用の端子に接続されているか否かを判別する判別部とを備えることを特徴とするものである。
【００１３】
本発明に係る接地線接続監視装置によれば、検出部は、電源供給線に接続された静電容量の接地点と接地用の端子とを接続する導電線を流れる漏れ電流を検出する。これを前提にして、判別部は、検出部から得られた漏れ電流検出情報を入力し、大地零電位に維持される接地線が接地用の端子に接続されているか否かを漏れ電流検出情報に基づいて判別するようになる。例えば、判別部は、検出部から得られる漏れ電流検出情報と基準設定情報とを比較して、大地零電位に維持される接地線が接地用の端子に接続されているか否かを判別する。
【００１４】
従って、漏れ電流が所定の導電線に流れる場合は、接地用の端子に大地零電位に維持される接地線が接続されていると判別することができ、また、漏れ電流がその導電線に流れない場合は、接地用の端子に大地零電位に維持される接地線が接続されていないと判別できるようになる。
【００１５】
本発明に係る電気機器は、電源供給線と、所定の位置に設けられた接地用の端子と、金属製の筐体又は基板と、金属製の筐体又は基板の所定位置に設けられた接地点と、一方が電源供給線に接続され、他方が接地点に接続された静電容量と、静電容量が接続された接地点と接地用の端子との間に接続された導電線とを有する機器本体と、この機器本体の接地用の端子に、大地零電位に維持される接地線が接続されているかを監視する接地線接続監視手段とを備え、接地線接続監視手段は、静電容量の接地点から接地用の端子に至る導電線中を流れる漏れ電流を検出する検出部と、検出部から得られる漏れ電流検出情報を入力して、大地零電位に維持される接地線が接地用の端子に接続されているか否かを判別する判別部とを有することを特徴とするものである。
【００１６】
本発明に係る電気機器によれば、本発明に係る接地線接続監視装置が備えられ、接地線接続監視手段では、大地零電位に維持される接地線が接地用の端子に接続されているか否かを所定の導電線に流れる漏れ電流に係る検出情報に基づいて判別するようになされる。
【００１７】
従って、漏れ電流が所定の導電線に流れる場合は、当該機器本体の接地用の端子に大地零電位に維持される接地線が接続されていると判別することができ、また、漏れ電流が導電線に流れない場合は、その接地用の端子に大地零電位に維持される接地線が接続されていないと判別できるようになる。
【発明の効果】
【００１８】
本発明に係る接地線接続監視装置によれば、電源供給線に接続された静電容量の接地点と接地用の端子との間の導電線を流れる漏れ電流を検出して得られた漏れ電流検出情報を入力する判別部を備え、判別部は、大地零電位に維持される接地線が接地用の端子に接続されているか否かを所定の導電線に流れる漏れ電流に係る検出情報に基づいて判別するようになされる。
【００１９】
この構成によって、漏れ電流が所定の導電線に流れる場合は、接地用の端子に大地零電位に維持される接地線が接続されていると判別することができ、また、漏れ電流がその導電線に流れない場合は、接地用の端子に大地零電位に維持される接地線が接続されていないと判別できるようになる。これにより、接地線が接地用の端子に接続されていない旨等を表示できるようになると共に、接地線が接地用の端子に接続されていない場合は電気機器の動作を制限できるようになる。
【００２０】
本発明に係る電気機器によれば、本発明に係る接地線接続監視装置が備えられ、接地線接続監視手段では、大地零電位に維持される接地線が接地用の端子に接続されているか否かを所定の導電線に流れる漏れ電流に係る検出情報に基づいて判別するようになされる。
【００２１】
この構成によって、漏れ電流が所定の導電線に流れる場合は、当該機器本体の接地用の端子に大地零電位に維持される接地線が接続されていると判別することができ、また、漏れ電流がその導電線に流れない場合は、その接地用の端子に大地零電位に維持される接地線が接続されていないと判別できるようになる。これにより、接地線が接地用の端子に接続されていない旨等を表示できるようになるので、接地線が接地用の端子に接続されていない場合は機器本体の動作を制限できるようになる。
【発明を実施するための最良の形態】
【００２２】
以下、図面を参照しながら、この発明の実施形態に係る接地線接続監視装置及び電気機器について説明をする。
【００２３】
図１は、本発明に係る実施形態としてのアース接続監視装置１００の構成例を示す概念図である。
【００２４】
図１に示すアース接続監視装置１００は、本発明に係る接地線接続監視装置の機能を有するものであり、監視対象となる電気機器７００の接地用の端子（以下ＧＮＤ端子７４という）に大地零電位（０Ｖ）に維持される接地線（以下アース線Ｌｅという）が接続されているかを監視するための装置である。
【００２５】
この例で、監視対象となる電気機器７００は、少なくとも、筐体７０及びＡＣ電源ラインＬａ，Ｌｂ（電源供給線）を有している。筐体７０は金属製の箱型に限られることはなく、金属製の基板と、当該基板を覆う樹脂製の箱状体であってもよい。筐体７０の所定の位置にはＧＮＤ端子７４が設けられ、大地零電位に維持されるアース線Ｌｅを接続するようになされる。
【００２６】
アース線Ｌｅには、電気機器７００にもよるが、例えば、定格電流２０Ａ以下で直径１．６ｍｍ以上及び断面積１．２５ｍｍ2以上の軟銅線が使用される。アルミニウム線の場合は２．６ｍｍ以上である。電気機器７００の定格電流が多くなるほど太い軟銅線やアルミニウム線等を使用するようになされる。アース線Ｌｅの一端は、ＧＮＤ端子７４に接続され、その他端は、大地８０に埋設された接地棒等の接地電極に接続される。接地棒は電気機器７００の使用電圧に応じたＡ種〜Ｄ種接地工事が施される。
【００２７】
ＧＮＤ端子７４は例えば、金属製及び樹脂製の箱状体の筐体７０の所定の位置に設けられ、通常、アース線Ｌｅを接続し易くなされている。ＡＣ電源ラインＬａ，Ｌｂとアース線Ｌｅとを並べて接続可能な電源端子ボックス内に設けられる。もちろん、これに限られることはなく、単独で外箱にＧＮＤ端子７４を設けている機器であってもよい。
【００２８】
この例で、金属製の筐体７０又は基板の所定位置には接地点Ｐが設けられ、筐体（内部）アースとなされている。電気機器７００は、一方が電源供給線Ｌａ，Ｌｂに接続され、他方が接地点Ｐに接続されたＹ接続型のコンデンサ７１（静電容量）を有している。コンデンサ７１は静電容量Ｃａ及びＣｂから構成されている。静電容量Ｃａの一端は、電源供給線Ｌａに接続され、静電容量Ｃｂの一端は、電源供給線Ｌｂに接続され、静電容量Ｃａ及びＣｂの他端は共に接地点Ｐに接続されている。低圧用の静電容量Ｃａ及びＣｂには、耐圧２５０Ｖ、２２００ｐＦ程度のものが使用される。
【００２９】
この例でコンデンサ７１が接続された接地点Ｐ（筐体内部アース点）と、ＧＮＤ端子７４との間には導電線Ｌｃが接続されている。導電線Ｌｃには、１．６ｍｍ以上及び１．２５ｍｍ2以上の銅線が使用され、ＧＮＤ端子７４に大地零電位に維持されるアース線Ｌｅが接続されることで漏れ電流ｉｃが流れる。
【００３０】
アース接続監視装置１００は、ＺＣＴコイル７２及び検知処理ユニット７３を有して構成される。ＺＣＴコイル７２は、検出部の機能を有しており、コンデンサ７１の接地点ＰからＧＮＤ端子７４に至る導電線Ｌｃを流れる漏れ電流ｉｃを検出するものである。ＺＣＴコイル７２はコイルを所定の回数だけ環状に巻いた変流器を構成している。ＺＣＴコイル７２は環状本体部及び出力端子を有している。導電線Ｌｃは、ＺＣＴコイル７２の環状本体部に所定の回数だけ環状に巻くようになされる。
【００３１】
検知処理ユニット７３は判別部の機能を有しており、ＺＣＴコイル７２から得られる漏れ電流ｉｃに係る検出情報を入力して、大地零電位に維持されるアース線ＬｅがＧＮＤ端子７４に接続されているか否かを判別するようになされる。検知処理ユニット７３にはＩＶ変換回路や、アンプ、ＣＰＵ等が使用される。例えば、検知処理ユニット７３は、ＺＣＴコイル７２から得られる漏れ電流ｉｃに係る検出情報と基準設定情報とを比較して、大地零電位に維持されるアース線ＬｅがＧＮＤ端子７４に接続されているか否かを判別する。
【００３２】
この例で、検知処理ユニット７３は、上述の導電線Ｌｃに漏れ電流ｉｃが流れる場合は、大地零電位に維持されるアース線ＬｅがＧＮＤ端子７４に接続されていると判別し、導電線Ｌｃに漏れ電流ｉｃが流れない場合は、大地零電位に維持されるアース線ＬｅがＧＮＤ端子７４に接続されていないと判別する。
【００３３】
この例で、検知処理ユニット７３には表示部６ｉが接続され、当該ユニット７３から出力される判別結果に基づく表示処理をする。例えば、表示部６ｉには液晶表示装置が使用され、検知処理ユニット７３から出力される判別結果信号に基づいて警告表示をする。表示部６ｉは、検知処理ユニット７３によってＧＮＤ端子７４に大地零電位に維持されるアース線Ｌｅが接続されていないと判別された場合に、例えば、判別結果に基づく表示データにより「ＧＮＤ端子７４にアース線Ｌｅが接続されていない」旨の文字情報を表示する。
【００３４】
表示部６ｉは、文字情報を表示する液晶表示装置の他に単に発光表示するような表示器であってもよい。例えば、検知処理ユニット７３から出力される判別結果信号に基づいて警告点灯処理をする点灯部を備え、この点灯部で、検知処理ユニット７３によってＧＮＤ端子７４に大地零電位に維持されるアース線Ｌｅが接続されていないと判別された場合に、判別結果信号に基づいて点灯又は点滅するようにしてもよい。
【００３５】
このように、アース接続監視装置１００を構成すると、監視対象となる電気機器７００のＧＮＤ端子７４に、大地零電位（０Ｖ）に維持されるアース線Ｌｅが接続されているかを監視できるようになる。
【００３６】
続いて、電気機器７００におけるアース接続監視装置１００の動作例について説明する。図２〜図５は、アース接続監視装置１００の動作例（その１〜４）を示す回路図である。
【００３７】
図２は、アース接続監視装置１００による漏れ電流検出時の動作例（静電容量Ｃａ）を示す回路図である。この例では、アース線ＬｅがＧＮＤ端子７４に真に正しく接続されている場合である。
【００３８】
図２に示す電気機器７００には、例えば、屋外の柱上変圧器８１から電源を供給するようになされる。柱上変圧器８１はその一次側にＵ相及びＶ相用の電源入力端子Ｒ、Ｓが設けられる。Ｕ相及びＶ相用の電源入力端子Ｕ，Ｖには、例えば、６６００Ｖの高圧線が接続される。柱上変圧器８１の二次側には、低圧用の電源出力端子ｕ，Ｎが設けられている。電源出力端子ＮにはＢ種接地工事が施される。Ｂ種接地工事では、線路の一線地絡電流をＩとしたとき、接地抵抗Ｒｂは１５０／Ｉ［Ω］以下になされる。
【００３９】
電源出力端子ｕには、例えば、１０５Ｖ電源供給ラインＬａが接続され、電源出力端子Ｎには、その帰路となる電源供給ラインＬｂが接続される。この例では、便宜上、電源の極性に関して電源出力端子ｕを高電位側（１０５Ｖ）とし、電源出力端子Ｎを低電位側（０Ｖ）とする。
【００４０】
電源供給ラインＬａ，Ｌｂは電気機器７００の電源端子７８、７９に接続される。アース線Ｌｅの一端はＤ種接地工事が施された接地抵抗Ｒａ＝１００［Ω］以下の接地電極に接続され、他端はＧＮＤ端子７４に接続される。この場合、柱上変圧器８１の電源出力端子ｕ→電源供給ラインＬａ→電源端子７８→静電容量Ｃａ→接地点Ｐ→導電線Ｌｃ→ＧＮＤ端子７４→アース線Ｌｅ→Ｄ種接地抵抗Ｒｄ→大地８０→Ｂ種接地抵抗Ｒｂ→柱上変圧器８１の電源出力端子Ｎに至る閉回路を漏れ電流ｉｃが流れる。漏れ電流ｉｃはＺＣＴコイル７２によって検出され、検知処理ユニット７３に出力される。
【００４１】
この場合、検知処理ユニット７３は、ＧＮＤ端子７４に大地零電位に維持されるアース線Ｌｅが接続されていると判別する。例えば、検知処理ユニット７３では、ＺＣＴコイル７２から得られる漏れ電流ｉｃに関する検出情報と基準設定情報とを比較して、大地零電位に維持されるアース線ＬｅがＧＮＤ端子７４に接続されているか否かを判別する。基準設定情報には例えば、基準電圧Ｖref＝０Ｖが設定される。ＺＣＴコイル７２で漏れ電流ｉｃが検出される場合、基準電圧Ｖref＝０Ｖよりも大きな電圧検出情報（Ｖｃ）が得られるので、検知処理ユニット７３で、大地零電位に維持されるアース線ＬｅがＧＮＤ端子７４に接続されている旨を判別できるようになる。
【００４２】
図３は、アース接続監視装置１００による漏れ電流検出時の動作例（静電容量Ｃｂ）を示す回路図である。この例では、図２に示した電源供給ラインＬａ，Ｌｂの極性が反転して接続された場合であって、アース線ＬｅがＧＮＤ端子７４に真に正しく接続されている場合である。
【００４３】
この場合も、柱上変圧器８１の電源出力端子ｕ→電源供給ラインＬａ→電源端子７９→静電容量Ｃｂ→接地点Ｐ→導電線Ｌｃ→ＧＮＤ端子７４→アース線Ｌｅ→Ｄ種接地抵抗Ｒｄ→大地８０→Ｂ種接地抵抗Ｒｂ→柱上変圧器８１の電源出力端子Ｎに至る閉回路を漏れ電流ｉｃが流れる。漏れ電流ｉｃはＺＣＴコイル７２によって検出され、検知処理ユニット７３に出力される。
【００４４】
この場合も、基準電圧Ｖref＝０Ｖよりも大きな電圧検出情報（Ｖｃ）が得られるので、検知処理ユニット７３で、ＧＮＤ端子７４に大地零電位に維持されるアース線Ｌｅが接続されている旨を判別できるようになる。
【００４５】
図４は、アース接続監視装置１００による漏れ電流非検出時の状態例（無接地）を示す回路図である。この例では、図２に示した電源供給ラインＬａ，Ｌｂが接続されている場合で１あって、アース線ＬｅがＧＮＤ端子７４に全く接続されていない場合である。
【００４６】
この場合は、図２及び図３に示した閉回路が形成されていないので漏れ電流ｉｃが流れない。検知処理ユニット７３では、ＺＣＴコイル７２から”漏れ電流ｉｃが流れた”とする検出情報が得られず、”漏れ電流ｉｃは０である”とする検出情報が得られる。
【００４７】
検知処理ユニット７３では、”漏れ電流ｉｃは０である”とする検出情報と基準設定情報とを比較しても、基準電圧Ｖref＝０Ｖよりも大きな電圧検出情報（Ｖｃ）が得られないので、大地零電位に維持されるアース線ＬｅがＧＮＤ端子７４に接続されていない旨を判別できるようになる。
【００４８】
図５は、アース接続監視装置１００による漏れ電流非検出時の状態例（筐体仮性接地）を示す回路図である。
【００４９】
この例では、図２に示した電源供給ラインＬａ，Ｌｂが接続されている場合であって、アース線Ｌｅの一端は、大地８０に接地されているが、その他端がＧＮＤ端子７４から離れている場合で、かつ、筐体７０の金属部分が大地８０に接触し仮性接地状態になされている場合である。
【００５０】
この場合も、図２及び図３に示した閉回路が形成されていないので漏れ電流ｉｃが流れない。検知処理ユニット７３では、ＺＣＴコイル７２から”漏れ電流ｉｃが流れた”とする検出情報が得られず、”漏れ電流ｉｃは０である”とする検出情報が得られる。
【００５１】
仮性接地状態では、柱上変圧器８１の電源出力端子ｕ→電源供給ラインＬａ→電源端子７８→静電容量Ｃｂ→接地点Ｐ→筐体７０（仮性接地点Ｐ’）→大地８０→Ｂ種接地抵抗Ｒｂ→柱上変圧器８１の電源出力端子Ｎに至る閉回路が構成されるものの、導電線Ｌｃ及びその先端であるＧＮＤ端子７４が電気的に浮遊（開放）している状態である。従って、漏れ電流ｉｃ’が仮性接地点Ｐ’を流れるものの、図２及び３に示したような漏れ電流ｉｃが流れない。この場合も、検知処理ユニット７３では、ＧＮＤ端子７４に大地零電位に維持されるアース線Ｌｅが接続されていないと判別できるようになる。
【００５２】
ＺＣＴコイル７２は、接地点Ｐから延在する導電線Ｌｃからのみ漏れ電流ｉｃを検出する必要があり、このような漏れ電流ｉｃを検出する場合に、ＧＮＤ端子７４の前段にＺＣＴコイル７２が設けられる。しかも、ＧＮＤ端子７４は、接地点Ｐから延在する導電線Ｌｃの他端のみに接続するようになされる。これは、ＧＮＤ端子７４の近くで筐体アースを採ってはならないことを意味している。
【００５３】
つまり、ＺＣＴコイル７２の設置箇所と、ＧＮＤ端子７４との間で筐体アースが採られると、筐体が鋼板で覆われた設置箇所など、上述の仮性接地状態に陥った場合に、真正のアース線Ｌｅを接続しなくても、ＺＣＴコイル７２が誤検知してしまい、アース線があたかも接続されたと、検知処理ユニット７３が判断してしまうことを防止するためである。
【００５４】
このように、実施形態としてのアース接続監視装置１００によれば、検知処理ユニット７３は、ＺＣＴコイル７２から得られた漏れ電流ｉｃに関する検出情報を入力し、大地零電位に維持されるアース線ＬｅがＧＮＤ端子７４に接続されているか否かを漏れ電流ｉｃに関する検出情報に基づいて判別するようになる。上述した例では、検知処理ユニット７３は、ＺＣＴコイル７２から得られる漏れ電流ｉｃに関する検出情報と基準設定情報とを比較して、大地零電位に維持されるアース線ＬｅがＧＮＤ端子７４に接続されているか否かを判別する。
【００５５】
従って、漏れ電流ｉｃが導電線Ｌｃに流れる場合は、ＧＮＤ端子７４に大地零電位に維持されるアース線Ｌｅが接続されていると判別することができ、また、漏れ電流ｉｃが導電線Ｌｃに流れない場合は、ＧＮＤ端子７４に大地零電位に維持されるアース線Ｌｅが接続されていないと判別できるようになる。
【００５６】
これにより、アース線ＬｅがＧＮＤ端子７４に接続されていない旨等を表示できるようになるので、アース線ＬｅがＧＮＤ端子７４に接続されていない場合は機器本体の動作を制限できるようになる。
【実施例１】
【００５７】
図６は、各実施例としてのアース接続監視装置１００が応用される浴室空調システム１の構成例を示す概念図である。
【００５８】
＜浴室空調システムの全体＞
図６に示す浴室空調システム１には、電気機器の一例を構成し、浴室１０１内の空調を整えるようになされる。この浴室空調システム１は、ミスト発生装置２、浴室空調装置（空調装置）３及びヒートポンプ式の給湯装置４を備えて構成されている。
【００５９】
ミスト発生装置２は、浴室１０１の天井に配設され、霧状にした温水（ミスト）又は水を浴室１０１内に噴出するようになされる。例えば、ミスト発生装置２は、ヒートポンプ式の給湯装置４に接続され、これより排出される水又は温水を利用してミスト又は霧状水を発生する。
【００６０】
ミスト発生装置２は、電磁弁ユニット２Ａ、電源部ユニット２Ｂ及びノズルユニット２Ｃから構成されている。電磁弁ユニット２Ａの内部には複数の電磁弁が設けられ、給湯装置４より排出される温水又は給水管からの水の供給先を切換えるようになされる。電磁弁ユニット２Ａには、電源部ユニット２Ｂが実装されている。電源部ユニット２Ｂの内部にはアース接続監視装置１００が実装される（図６には図示せず；図１４参照）。
【００６１】
電源部ユニット２Ｂにはミスト操作部７が接続される。電源部ユニット２Ｂは、電磁弁ユニット本体と共に浴室１０１の天井裏に配置され、当該ユニット内に設けられた複数の電磁弁をミスト操作部７からの操作指令に基づいて開閉制御を実行する。電磁弁ユニット２Ａは浴室１０１の天井裏に置かれるが、浴室１０１の天井に有する点検口の近傍に配設される。
【００６２】
電磁弁ユニット２Ａには、給湯装置４から排出される水又は温水の供給を受けるための給水（給湯）配管２ａと、ノズルユニット２Ｃに温水を供給するためのノズル配管２ｂと、温水を排水するためのドレン配管２ｃとが接続されている。ドレン配管２ｃは浴室外へ配管される。もちろん、浴室１０１に配管してもよい。
【００６３】
電磁弁ユニット２Ａにはノズルユニット２Ｃが接続され、浴室内に向けて配置されるノズルを備え、水又は温水によるミストを噴出するようになされる。ノズルユニット２Ｃは例えば、天井表面に取り付けられる。
【００６４】
この例で、浴室空調装置３も電磁弁ユニット２Ａと同様にして浴室１０１の天井に配設され、浴室１０１の暖房や換気等が行われる。浴室空調装置３の内部にはアース接続監視装置１００が実装される（図６には図示せず；図９参照）。浴室空調装置３の熱源として、当該浴室空調装置３に内蔵した電気ヒータ（ＰＴＣヒータ）が利用される。浴室空調装置３には図示しない換気ダクトが接続され、この換気ダクトには換気グリルが接続される。換気グリルは、排気口を有しており、浴室外部に排気口を向けて取り付けられる。
【００６５】
上述の電磁弁ユニット２Ａには、給湯装置４が接続され、冷媒ガス又は空気を圧縮して得られる熱源を利用して水を温めるようになされる。給湯装置４の内部にはアース接続監視装置１００が実装される（図６には図示せず；図１３参照）。給湯装置４は、屋外に配置され、ミスト発生装置２及び浴室１０１等に温水を給湯し、又は水を供給するようになされる。給湯装置４からの温水は、洗面脱衣所１０２の図示しない洗面器の給湯栓にも給湯される。
【００６６】
なお、ミスト発生装置２及び浴室空調装置３には、主操作部６及びミスト操作部７が接続され、これらの操作に基づいてミスト発生及び浴室環境調整動作を実行する。主操作部６は、浴室空調装置３に内蔵された制御部（図６には図示せず）に通信ケーブル６ａで接続されたリモートコントロール（遠隔制御）装置である。
【００６７】
この主操作部６（以下、「空調リモコン６」という）は、洗面脱衣所１０２の壁に取り付けられている。ミスト操作部７は、電源部ユニット２Ｂに内蔵された制御部（図示せず）に通信ケーブル７ａで接続されたリモートコントロール装置である。このミスト操作部７（以下、「ミストリモコン７」という）は、浴室１０１の壁に取り付けられている。
【００６８】
また、浴室１０１内、例えば、浴室空調装置３のフロントパネル２６には、人体検出センサ６９Ａが取り付けられ、浴室利用者が浴室内に入室すると、それを検知して入室検知信号を出力するようになされる。この人体検出センサ６９Ａは、例えば赤外線センサを用いて構成されたものである（特開平１０−１４２３５１号公報参照）。このように、ミスト発生装置２、浴室空調装置３及び給湯装置４を備えた浴室空調システム１が構成される。
【００６９】
この例では、ミスト発生装置２、浴室空調装置３及び給湯装置４毎に接地線接続監視装置１００が設けられ、その判別結果は、空調リモコン６の表示部６ｉに表示される場合を例に挙げる。
【００７０】
図７は、浴室空調装置３の構成例を示す断面図である。図７に示す浴室空調装置３は、図６に示した浴室１０１の天井裏に取り付け可能であって、循環ファン部３２と換気ファン部３０を収容する本体ケース１７を備えている。本体ケース１７は、鉄等の金属部材で構成される。この本体ケース１７には、循環ファン部３２の上側に換気ファン部３０が重なる形態で、これら循環ファン部３２および換気ファン部３０が取り付けられる。
【００７１】
循環ファン部３２は空気を循環させるために、回転軸の向きを鉛直方向とした多翼の羽根車３４と、この羽根車３４を回転駆動する循環ファンモータ３５と、風路を形成する循環ファンケース３６とを備えて構成される。循環ファンケース３６には、羽根車３４の軸方向に沿った下面に、循環ファン吸込口３７としての開口が形成される。循環ファンケース３６には、羽根車３４の接線方向に沿って吹出風路８が形成されると共に、この吹出風路８と連通した下面に循環ファン吹出口９としての開口が形成される。
【００７２】
換気ファン部３０は空気を排気するために、回転軸の向きを鉛直方向とした多翼の羽根車１１と、この羽根車１１を回転駆動する換気ファンモータ１２と、風路を形成する換気ファンケース１３とを備えて構成される。換気ファンケース１３には、羽根車１１の軸方向に沿った下面に、換気ファン吸込口１４としての開口が形成される。また、換気ファンケース１３には、羽根車１１の接線方向に沿って排気風路１５が形成されると共に、この排気風路１５と連通した一の側面に排気口１６としての開口が形成される。
【００７３】
この例で、上述の循環ファン部３２にはヒータ１０が備えられる。ヒータ１０は、循環ファン吹出口９の近傍の吹出風路８に配設される。ヒータ１０として、例えば、棒状のヒータ部材に長手方向に沿って多数のフィンが取り付けられた構成の、ＰＴＣ(Positive Temperature Coefficient)ヒータを用いることができる。このヒータ１０は、吹出風路８を通る空気が放熱フィンの間を通過するように、吹出風路８中に取り付けられる。
【００７４】
また、浴室空調装置３は、排気ダクトジョイント１８ａを備えている。排気ダクトジョイント１８ａは、本体ケース１７の一の側面に、上述の換気ファン部３０の排気口１６と連通するように、当該排気口１６に取り付けられる。
【００７５】
本体ケース１７には、副吸収口１７ａと、副吸込ダクトジョイント１８ｂとが備えられる。副吸収口１７ａは、排気口１６の形成面以外の本体ケース１７の他の側面に形成される。この副吸込口１７ａに、副吸込ダクトジョイント１８ｂが取り付けられる。
【００７６】
また、浴室空調装置３は、副吸込風路１９を備えている。副吸込風路１９は、循環ファン部３２の上側に、この循環ファン部３２の吹出風路８とは独立して形成される。この副吸込風路１９は、副吸込口１７ａと換気ファン吸込口１４とを連通するように構成されている。
【００７７】
浴室空調装置３は、換気吸込風路形成部材２０を備えており、換気吸込風路形成部材２０は、換気ファン部３０の下側に取り付けられる。換気吸込風路形成部材２０は、本体ケース１７の下面側に換気吸込口２０ａとしての開口を有すると共に、換気吸込口２０ａと換気ファン吸込口１４を連通させる換気吸込風路２０ｂを有している。
【００７８】
また、上述の循環ファン吸込口３７には温度センサ２１が備えられ、循環ファン吸込口３７から循環ファン部３２に吸い込まれる空気の温度、つまり浴室内の温度を検出するようになされる。
【００７９】
本体ケース１７の下面にはフロントパネル２２が備えられ、本体ケース１７に対して着脱可能に構成されている。フロントパネル２２には、循環ファン部３２の循環ファン吸込口３７および換気ファン部３０と連通した換気吸込口２０ａと対向して吸込口グリル２２ａが形成される。また、フロントパネル２２には、循環ファン部３２の循環ファン吹出口９と対向して吹出口グリル２２ｂが形成される。
【００８０】
このように浴室空調装置３が構成され、浴室１０１内に空気を循環させたり、浴室１０１内を乾燥させたり、浴室１０１から外部へ排気して換気するようになされる。
【００８１】
図８は、浴室空調装置３におけるアース接続監視装置１００及びその周辺回路の構成例を示すブロック図である。
【００８２】
図８に示す浴室空調装置３は、ヒータ１０、本体ケース１７（機器本体）、モータ３５，ＺＣＴコイル７２及びＧＮＤ端子７４の他に、電源基板３Ａ及び電源端子台３Ｂを有している。電源端子台３Ｂには電源端子７８，７９が設けられる。ＧＮＤ端子７４は、本体ケース１７の電源端子台３Ｂの所定位置に設けられている。本体ケース１７は金属板を所定の形状に加工したものであり、その筐体アース位置には接地点Ｐが設けられる。
【００８３】
本体ケース１７には電源基板３Ａが設けられ、電源基板３Ａには、コイル用の端子３Ｃ、コンデンサ７１、検知処理ユニット７３の他にモータ駆動回路８１、ヒータ駆動回路８２、変圧器８３及び整流平滑回路８４が設けられる。ＺＣＴコイル７２及び検知処理ユニット７３は、本発明に係るアース接続監視装置１００を構成し、本体ケース１７のＧＮＤ端子７４に大地零電位に維持されるアース線Ｌｅが接続されているかを監視する。
【００８４】
この例で、ＡＣ電源ラインＬａ，Ｌｂは、電源端子７８，７９を介してコンデンサ７１、モータ駆動回路８１、ヒータ駆動回路８２及び変圧器８３に接続されている。コンデンサ７１は、一方がＡＣ電源ラインＬａ，Ｌｂに接続され、他方が接地点Ｐに接続されている。コンデンサ７１が接続された接地点ＰとＧＮＤ端子７４との間に導電線Ｌｃが接続されている。ＧＮＤ端子７４には大地零電位に維持されるアース線Ｌｅが接続される。
【００８５】
また、検知処理ユニット７３は検出回路７５及びマイクロコンピュータ（以下マイコン７６という）から構成される。上述のＺＣＴコイル７２は、コイル用の端子３Ｃを介して検出回路７５に接続されている。ＺＣＴコイル７２は、コンデンサ７１の接地点ＰからＧＮＤ端子７４に至る導電線Ｌｃ中を流れる漏れ電流ｉｃを検出して漏れ電流検出信号（電流ｉｃ’）を検出回路７５に出力する。
【００８６】
検出回路７５は、ＺＣＴコイル７２から出力される漏れ電流検出信号（電流ｉｃ’）を電流電圧変換した漏れ電流検出電圧Ｖｃをマイコン７６に出力する。マイコン７６は、検出回路７５から得られる漏れ電流検出電圧Ｖｃを入力して、大地零電位に維持されるアース線ＬｅがＧＮＤ端子７４に接続されているか否かを判別するようになされる。例えば、マイコン７６は、漏れ電流検出電圧Ｖｃと０Ｖとが比較され、Ｖｃ＝０Ｖであるか、Ｖｃ＞０Ｖであるかが判別される。この判別結果から得られる判別結果信号は、モータ駆動回路８１やヒータ駆動回路８２等に出力される。
【００８７】
上述のＡＣ電源ラインＬａ，Ｌｂに接続された変圧器８３は、ＡＣ電源電圧を低圧用の電源に変換する。例えば、ＡＣ１００Ｖの電圧を５Ｖの電圧に降下する。整流平滑回路８４はＡＣ５Ｖの電圧を整流平滑して直流（ＤＣ）電源を供給する。例えば、リモコン基板６７、検出回路７５、マイコン７６、モータ駆動回路８１、ヒータ駆動回路８２に直流（ＤＣ）電源を供給するようになされる。ＤＣ電源は直流電圧ＶＣＣ及び接地電位ＧＮＤを供給する。
【００８８】
整流平滑回路８４からＤＣ電源の供給を受けたマイコン７６は、判別結果信号となるモータ駆動信号Ｓ８１及びヒータ駆動信号Ｓ８２を出力する。例えば、マイコン７６は、ＧＮＤ端子７４に大地零電位に維持されるアース線Ｌｅが接続されていないと判別した場合に、モータ３５への通電動作を停止させるためのモータ駆動信号Ｓ８１をモータ駆動回路８１に出力する。同様にして、ヒータ１０への通電動作を停止させるためのヒータ駆動信号Ｓ８２をヒータ駆動回路８２に出力する。
【００８９】
この例で、マイコン７６にはモータ駆動回路８１が接続され、マイコン７６から出力されるモータ駆動信号Ｓ８１に基づいてモータ３５を駆動制御するようになされる。モータ駆動回路８１は、マイコン７６でＧＮＤ端子７４にアース線Ｌｅが接続されていないと判別された場合に、モータ駆動信号Ｓ８１がモータ３５への通電を不許可する内容となるので通電をせずにモータ制御を保留する。
【００９０】
この例で、マイコン７６にはヒータ駆動回路８２が接続され、マイコン７６から出力されるヒータ駆動信号Ｓ８２に基づいてヒータ１０を駆動制御するようになされる。ヒータ駆動回路８２は、マイコン７６でＧＮＤ端子７４にアース線Ｌｅが接続されていないと判別された場合に、ヒータ駆動信号Ｓ８２がヒータ１０５への通電を不許可する内容となるので通電をせずにヒータ制御を保留する。
【００９１】
この例で、上述した電源基板３Ａには空調リモコン６が接続される。空調リモコン６は、リモコン基板６７を有している。リモコン基板６７には、表示器６ｉ、キー・マトリクス６８及びマイコン６９が設けられている。電源基板３Ａとマイコン６９とは通信ケーブル６ａにより接続されており、整流平滑回路８４からＤＣ電源の供給を受けたマイコン６９は、ミスト発生装置２、浴室空調装置３及び給湯装置４をリモートコントロール（遠隔制御）するようになされる。
【００９２】
リモコン基板６７には、例えば、通信ケーブル用の端子６７ａ〜６７ｃが設けられる。端子６７ａには通信ケーブル６ａが接続され、浴室空調装置３からの大地零電位に維持されるアース線Ｌｅが接続されているか否かの判別結果信号Ｓ６ａが入力される。端子６７ｂには通信ケーブル７ａが接続され、ミスト発生装置２からの大地零電位に維持されるアース線Ｌｅが接続されているか否かの判別結果信号Ｓ７ａが入力される。端子６７ｃには通信ケーブル６ｃが接続され、給湯装置４からの大地零電位に維持されるアース線Ｌｅが接続されているか否かの判別結果信号Ｓ６ｃが入力される。
【００９３】
マイコン６９は、例えば、表示器６ｉに表示データＤ７３を出力する。表示データＤ７３には、少なくとも、ミスト発生装置２、浴室空調装置３及び給湯装置４で大地零電位に維持されるアース線Ｌｅが接続されているか否かの判別結果に基づき、これらのアース線Ｌｅが接続されていない場合に、ミスト発生装置２のＧＮＤ端子７４に該当のアース線Ｌｅが接続されていない旨や、浴室空調装置３のＧＮＤ端子７４に同様にアース線Ｌｅが接続されていない旨、給湯装置４のＧＮＤ端子７４に該当のアース線Ｌｅが接続されていない旨等を表示する内容となる。
【００９４】
図９は、浴室空調装置３の空調リモコン（主操作部）６の操作面の構成例を示す正面図である。図９に示す空調リモコン６は、入浴ミストモードの運転及び運転停止を選択するための入浴ミストボタン６ｂを有している。入浴ミストボタン６ｂは、上記したミストリモコン７の入浴ミストボタン７ｂに対応したボタンである。このボタン６ｂに対応して、当該モードの選択時に発光制御されるＬＥＤ等の発光素子６ｂ′が設けられている。
【００９５】
また、空調リモコン６は、衣類乾燥モードの運転及び運転停止を選択する衣類乾燥ボタン６ｄと、涼風モードの運転及び運転停止を選択する涼風ボタン６ｅと、暖房モードの運転及び運転停止を選択する暖房ボタン６ｆと、標準換気モードの運転、浴室乾燥モードの運転及びそれらの運転停止を選択する換気ボタン６ｇとを備えている。これらのボタン６ｄ〜６ｇに対応して、例えば運転時に発光制御されるＬＥＤ等の発光素子６ｄ′，６ｅ′，６ｆ′，６g1′，６g2′が設けられている。上述の各種ボタン６ｂ，６ｄ，６ｅ，６ｆ，６ｇは、キー・マトリクス６８を構成する。
【００９６】
また、空調リモコン６は、時刻、浴室温度、運転モード等を表示する、ＬＣＤ（液晶表示素子）や７セグメントＬＥＤ等で構成される表示部６ｉと、タイマーの時間設定等を行うためのアップダウンキー６ｊとを備えている。主操作部６で操作され指示される情報は、操作信号Ｓ６となってマイコン６９に出力される。
【００９７】
この例で、表示部６ｉは、表示データＤ７３に基づいてミスト発生装置２のＧＮＤ端子７４に該当のアース線Ｌｅが接続されていない旨や、浴室空調装置３のＧＮＤ端子７４に同様にアース線Ｌｅが接続されていない旨、給湯装置４のＧＮＤ端子７４に該当のアース線Ｌｅが接続されていない旨等を、例えば、文字情報にて表示する。「ＧＮＤ端子にアース線を接続して下さい。」等のメッセージを表示するようになされる。メッセージは、アース線Ｌｅの接続がなされるミスト発生装置２、浴室空調装置３及び給湯装置４毎に表示部６ｉに表示するとよい。
【００９８】
図１０は、第１の実施例としての浴室空調装置３のマイコン７６におけるアース線Ｌｅの接続監視例を示すフローチャートである。
【００９９】
この実施例では、筐体内の接地点ＰとＧＮＤ端子７４とを接続する導電線Ｌｃに流れる漏れ電流ｉｃを検知して、アース線ＬｅがＧＮＤ端子７４に接続されているか否か（有無）を判別し、アース線ＬｅがＧＮＤ端子７４に接続されていない場合、アース線Ｌｅが未接続であることを表示部６ｉに表示し、ヒータ１０やモータ３５への通電動作を保留して動作させないようにする場合を挙げる。
【０１００】
これらを監視条件にして、浴室空調装置３への電源がオンされると、図１０に示すフローチャートのステップＳＴ１１でマイコン７６が導電線Ｌｃを流れる漏れ電流ｉｃに関する情報を取得する。このとき、ＺＣＴコイル７２は、筐体内の接地点ＰとＧＮＤ端子７４とを接続する導電線Ｌｃに流れる漏れ電流ｉｃを検知する。検出回路７５は、ＺＣＴコイル７２から出力される漏れ電流検出信号（電流ｉｃ’）を電流電圧変換した漏れ電流検出電圧Ｖｃをマイコン７６に出力する。
【０１０１】
ステップＳＴ１２で、浴室空調装置３で大地零電位に維持されるアース線ＬｅがＧＮＤ端子７４に接続されているか否かを判別する。このとき、マイコン７６は、検出回路７５から得られる漏れ電流検出電圧Ｖｃを入力し、漏れ電流検出電圧Ｖｃと０Ｖとが比較され、Ｖｃ＝０Ｖであるか、Ｖｃ＞０Ｖであるかが判別される。判別結果がＶｃ＞０Ｖである場合、すなわち、大地零電位に維持されるアース線ＬｅがＧＮＤ端子７４に接続されている場合は、ステップＳＴ１３に移行する。
【０１０２】
ステップＳＴ１３でマイコン７６は、ヒータ１０やモータ３５への通電動作を許可する旨の判別結果信号を出力する。このとき、マイコン７６は、モータ３５への通電動作を許可する旨のモータ駆動信号Ｓ８１をモータ駆動回路８１に出力する。モータ駆動回路８１は、モータ駆動信号Ｓ８１に基づいてモータ３５を駆動する。同様にして、マイコン７６は、ヒータ１０への通電動作を許可する旨のヒータ駆動信号Ｓ８２をヒータ駆動回路８２に出力する。ヒータ駆動回路８２は、ヒータ駆動信号Ｓ８２に基づいてヒータ１０に通電する。これにより、浴室空調装置３での通常動作に移行される。
【０１０３】
また、ステップＳＴ１２で判別結果がＶｃ＝０Ｖである場合、すなわち、大地零電位に維持されるアース線ＬｅがＧＮＤ端子７４に接続されていない場合は、ステップＳＴ１４に移行する。ステップＳＴ１４でマイコン７６は、”アースを接続して下さい”のメッセージを表示部６ｉに表示するような判別結果信号を空調リモコン６のマイコン６９へ通知する。
【０１０４】
マイコン６９は、表示部６ｉに表示データＤ７３を出力する。表示部６ｉは、表示データＤ７３に基づいて浴室空調装置３のＧＮＤ端子７４に該当のアース線Ｌｅが接続されていない旨を文字情報にて表示し、「ＧＮＤ端子にアース線を接続して下さい。」等のメッセージを表示する。表示内容は、後者のみの表示に止めてもよい。
【０１０５】
そして、ステップＳＴ１５でマイコン７６は、ヒータ１０やモータ３５等の通電不許可処理を実行する。このとき、マイコン７６は、モータ３５への通電動作不許可をする旨のモータ駆動信号Ｓ８１をモータ駆動回路８１に出力する。モータ駆動回路８１は、モータ駆動信号Ｓ８１がモータ３５への通電を不許可する内容となるので通電をせずにモータ制御を保留する。
【０１０６】
また、マイコン７６は、ヒータ１０への通電動作不許可をする旨のヒータ駆動信号Ｓ８２をヒータ駆動回路８２に出力する。ヒータ駆動回路８２は、ヒータ駆動信号Ｓ８２がヒータ１０への通電を不許可する内容となるので通電をせずにヒータ制御を保留する。これにより、浴室空調装置３では通常動作に移行することなく停止したままとなされる。
【０１０７】
その後、浴室空調装置３でアース線ＬｅがＧＮＤ端子７４に接続された場合は、マイコン７６をリセットし、又は、自動で導電線Ｌｃを流れる漏れ電流ｉｃを検知することにより通電動作が可能な状態となされる。
【０１０８】
このように、第１の実施例としての浴室空調システム１によれば、本発明に係るアース接続監視装置１００が備えられ、マイコン７６では、大地零電位に維持されるアース線ＬｅがＧＮＤ端子７４に接続されているか否かを漏れ電流検出電圧Ｖｃに基づいて判別するようになされる。
【０１０９】
従って、漏れ電流ｉｃが導電線Ｌｃに流れる場合は、当該浴室空調装置３のＧＮＤ端子７４に大地零電位に維持されるアース線Ｌｅが接続されていると判別することができ、また、漏れ電流ｉｃが導電線Ｌｃに流れない場合は、そのＧＮＤ端子７４に該当のアース線Ｌｅが接続されていないと判別できるようになる。
【０１１０】
これにより、「アース線ＬｅがＧＮＤ端子７４に接続されていない旨」等を表示できるようになるので、ＡＣ電源ラインＬａ，Ｌｂに接続されたコンデンサ７１の接地点Ｐと、ＧＮＤ端子７４との間が導電線Ｌｃにより接続された浴室空調装置３における感電を防止できるようになる。アース線ＬｅをＧＮＤ端子７４に接続することによって、安全性が保たれる。
【０１１１】
なお、マイコン７６により常時又は定期的にアース線Ｌｅの接続状況を監視するようにすることにより、アース線Ｌｅが外された、アース線Ｌｅが断線した等のトラブルも検知できるようになる。
【実施例２】
【０１１２】
図１１は、第２の実施例に係るヒートポンプ式の給湯装置４の構成例を示すブロック図である。図１１に示す給湯装置４にも、アース接続監視装置１００が備えられ、図６に示したミスト発生装置２、浴室１０１、洗面脱衣所１０２、台所１０３等に温水を供給するものである。
【０１１３】
給湯装置４は、ヒートポンプユニット５３及び貯湯タンクユニット５４を有して構成される。ヒートポンプユニット５３は、大気と冷媒ガスとの間の熱交換及び冷媒ガスと水との間の熱交換で温水を生成する。貯湯タンクユニット５４には、ヒートポンプユニット５３で生成された温水を貯水するようになされる。例えば、貯湯タンクユニット５４は、３００乃至５００リットルの蓄湯容量を有している。
【０１１４】
ヒートポンプユニット５３は、空気熱交換器５５及び水熱交換器５６を有して構成される。空気熱交換器５５は、大気と冷媒ガスとの間で熱交換を行って、冷媒ガスの温度を上昇させるものである。水熱交換器５６は、冷媒ガスと水との間で熱交換を行って、水の温度を上昇させるものである。
【０１１５】
ヒートポンプユニット５３には、ファン５５ａ及び冷媒配管５７が設けられる。ファン５５ａは、空気熱交換器５５に大気を供給するように使用される。冷媒配管５７は、空気熱交換器５５と水熱交換器５６との間に接続され、空気熱交換器５５と水熱交換器５６との間で冷媒ガスを循環するように使用される。
【０１１６】
また、ヒートポンプユニット５３には、ファン５５ａ及び冷媒配管５７の他に圧縮機５８が備えられる。圧縮機５８は、空気熱交換器５５と水熱交換器５６の間であって、空気熱交換器５５の下流側に配置され、空気熱交換器５５で熱交換されて冷媒配管５７を流れる冷媒ガスを圧縮して温度をさらに上昇させるように使用される。
【０１１７】
また、ヒートポンプユニット５３には、空気熱交換器５５と水熱交換器５６の間であって、水熱交換器５６の下流側には膨張弁５９が備えられる。膨張弁５９は、水熱交換器５６で熱交換されて冷媒配管５７を流れる冷媒ガスを膨張させて温度を低下させるように使用される。
【０１１８】
ヒートポンプユニット５３には貯湯タンクユニット５４が接続され、当該ヒートポンプユニット５３で生成された温水を貯水するタンク６０を備える。タンク６０は、下部側に水が供給されると共に、上部側に温水が供給されて、下部側に比べて上部側の温度が高くなる段層化した状態で温水を貯水する。
【０１１９】
ヒートポンプユニット５３と貯湯タンクユニット５４とは、水熱交換器５６とタンク６０の間が温水配管６１ａ及び冷水配管６１ｂで接続されている。例えば、温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【０１２０】
この冷水配管６１ｂにはポンプ６１ｃが取り付けられている。ポンプ６１ｃは、冷水配管６１ｂを介してタンク６０の流出口６０ｂから水を吸い込んで水熱交換器５６に供給し、水熱交換器５６を通過して生成された温水を、温水配管６１ａを介して流入口６０ａからタンク６０に供給する。
【０１２１】
また、タンク６０には取水配管６２と給水配管６３とがそれぞれ接続されている。取水配管６２は、タンク６０に貯水された温水を取水するために使用される。取水配管６２は、高温部取水配管６２ａと中温部取水配管６２ｂを備えている。高温部取水配管６２ａは、流入口６０ａと独立してタンク６０の上部に設けられる高温部取水口６０ｃと接続される。中温部取水配管６２ｂは、高温部取水口６０ｃより下側に設けられる中温部取水口６０ｄに接続される。
【０１２２】
取水配管６２は、高温部取水配管６２ａと中温部取水配管６２ｂの合流箇所に切換弁６２ｃを備え、タンク６０における取水元が、高温部取水口６０ｃか中温部取水口６０ｄに切換えられる。
【０１２３】
給水配管６３は、タンク６０に給水を行うために使用される。給水配管６３は、例えば、流出口６０ｂと独立してタンク６０の下部に設けられる給水口６０ｅと接続されると共に、タンク６０の手前で分岐した分岐給水配管６３ａを備える。
【０１２４】
さらに、貯湯タンクユニット５４は、取水配管６２から供給される温水と、分岐給水配管６３ａから供給される水を混合させる給湯混合弁６４を備える。給湯混合弁６４は、取水配管６２と分岐給水配管６３ａの合流箇所に備えられ、取水配管６２から供給される温水と、分岐給水配管６３ａから供給される水の混合比を切換えて、給湯配管６５から供給される温水の温度を調整する。常温の水を排出することもできる。
【０１２５】
給湯配管６５は、図６に示した浴室１０１のシャワー１０１ａや浴槽１０１ｂ、洗面脱衣所１０２の蛇口１０２ａ及び図示しない台所１０３の蛇口等と接続され、温水又は水を供給する。また、浴室１０１に接続される給湯配管６５には、ミスト給湯配管６５ａが接続される。ここに分岐されたミスト給湯配管６５ａには、ミスト発生装置２が接続される。
【０１２６】
次に、ヒートポンプ式の給湯装置４の動作例について説明する。給湯装置４では、まず、貯湯タンクユニット５４のタンク６０に、給水配管６３から水が供給される。タンク６０に供給された水は、冷水配管６１ｂによりヒートポンプユニット５３の水熱交換器５６に供給される。
【０１２７】
ヒートポンプユニット５３では、ファン５５ａにより空気熱交換器５５に大気が供給され、冷媒配管５７を流れる冷媒ガスとの間で熱交換が行われ、冷媒ガスの温度が上昇する。空気熱交換器５５で熱交換が行われた冷媒ガスは、圧縮機５８で圧縮されることで、温度がさらに上昇する。
【０１２８】
そして、圧縮機５８で圧縮されて温度を上昇させた冷媒ガスは、水熱交換器５６に供給される。これにより、水熱交換器５６においては、大気との熱交換及び圧縮により温度が上昇した冷媒ガスと、貯湯タンクユニット５４から供給された水との間で熱交換が行われ、温水が生成される。この水熱交換器５６で熱交換された冷媒ガスは、膨張弁５９で膨張されて温度が低下し、再度空気熱交換器５５に供給される。
【０１２９】
また、水熱交換器５６で熱交換されて生成された温水は、温水配管６１ａによりタンク６０に戻される。これにより、タンク６０は、上部側が温度が高く、下部側が温度の低い二層化した状態で温水と水が貯水される。タンク６０に貯水された温水は、取水配管６２により取水される。ここで、切換弁６２ｃにより、供給水の温度が高い場合は高温部取水配管６２ａから温水が取られ、供給水の温度が低い場合は中温部取水配管６２ｂから温水を取られる。
【０１３０】
取水配管６２により取水された温水は、分岐給水配管６３ｂから供給される水と給湯混合弁６４で混合される。給湯混合弁６４で温水と水の混合比を切換えることで、給湯配管６５から供給される温水の温度が調整される。もちろん、常温の水を給湯配管６５に送出することもできる。給湯配管６５から供給される温水又は水は、浴室１０１、洗面脱衣所１０２及び台所１０３に分配される。これにより、給湯配管６５から分岐されたミスト給湯配管６５ａにより温水又は水をミスト発生装置２に供給するようになされる。給湯装置４は自然冷媒を利用したヒートポンプ式でなくても、ヒートポンプ式でない通常の電気温水器であってもよく、ガスを熱源にした給湯装置でも他の熱源のものであってもよい。
【０１３１】
アース接続監視装置１００は、例えば、ヒートポンプユニット５３及びポンプ６１ｃに隣接した給湯装置４内に配置される。アース接続監視装置１００には、ＡＣ電源ラインＬａ，Ｌｂ及びアース線Ｌｅが接続される。
【０１３２】
図１２は、給湯装置４におけるアース接続監視装置１００及びその周辺回路の構成例を示すブロック図である。
【０１３３】
図１２に示す給湯装置４は、電源基板３Ｂ（機器本体）、圧縮機５８、ポンプ６１ｃ，ＺＣＴコイル７２及びＧＮＤ端子７４及び電源端子台３Ｂを有している。電源端子台３Ｂには電源端子７８，７９が設けられる。ＧＮＤ端子７４は、電源基板３Ａ’の電源端子台３Ｂの所定位置に設けられている。電源基板３Ａ’は、金属板を所定の形状に加工した、図示しない筐体に実装されるものであり、当該電源基板３Ａ’の筐体アース位置には接地点Ｐが設けられる。
【０１３４】
電源基板３Ａ’には、コイル用の端子３Ｃ、コンデンサ７１、検知処理ユニット７３の他に変圧器８３、整流平滑回路８４、ポンプ駆動回路８５及び圧縮機駆動回路８６が設けられる。ＺＣＴコイル７２及び検知処理ユニット７３は、本発明に係るアース接続監視装置１００を構成し、電源基板３Ａ’のＧＮＤ端子７４に大地零電位に維持されるアース線Ｌｅが接続されているかを監視する。
【０１３５】
この例で、ＡＣ電源ラインＬａ，Ｌｂは、電源端子７８，７９を介してコンデンサ７１、変圧器８３、ポンプ駆動回路８５及び圧縮機駆動回路８６に接続されている。なお、コンデンサ７１、接地点Ｐ、ＺＣＴコイル７２、ＧＮＤ端子７４、導電線Ｌｃの接続方法、検知処理ユニット７３の内部構成例、及び、マイコン７６における判別機能例については第１の実施例と同様であるので、その説明を省略する。
【０１３６】
この例で、マイコン７６の判別結果から得られるポンプ駆動信号Ｓ８５は、ポンプ駆動回路８５に出力され、圧縮機駆動信号Ｓ８６は、圧縮機駆動回路８６に各々出力される。判別結果信号Ｓ６ｃは、給湯装置４のマイコン７６から空調リモコン６へ出力される。
【０１３７】
上述のＡＣ電源ラインＬａ，Ｌｂに接続された変圧器８３は、ＡＣ電源電圧を低圧用の電源に変換する。整流平滑回路８４はＡＣ５Ｖの電圧を整流平滑して直流（ＤＣ）電源を検出回路７５、マイコン７６、ポンプ駆動回路８５、圧縮機駆動回路８６に供給するようになされる。
【０１３８】
整流平滑回路８４からＤＣ電源の供給を受けたマイコン７６は、判別結果となるポンプ駆動信号Ｓ８５及び圧縮機駆動信号Ｓ８６を出力する。例えば、マイコン７６は、ＧＮＤ端子７４に大地零電位に維持されるアース線Ｌｅが接続されていないと判別した場合に、ポンプ６１ｃへの通電動作を停止させるためのポンプ駆動信号Ｓ８５をポンプ駆動回路８５に出力する。同様にして、圧縮機５８への通電動作を停止させるための圧縮機駆動信号Ｓ８６を圧縮機駆動回路８６に出力する。
【０１３９】
この例で、マイコン７６にはポンプ駆動回路８５が接続され、マイコン７６から出力されるポンプ駆動信号Ｓ８５に基づいてポンプ６１ｃを駆動制御するようになされる。ポンプ駆動回路８５は、マイコン７６でＧＮＤ端子７４にアース線Ｌｅが接続されていないと判別された場合に、ポンプ駆動信号Ｓ８５がポンプ６１ｃへの通電を不許可する内容となるので通電をせずにポンプ制御を保留する。
【０１４０】
この例で、マイコン７６には圧縮機駆動回路８６が接続され、マイコン７６から出力される圧縮機駆動信号Ｓ８６に基づいて圧縮機５８を駆動制御するようになされる。圧縮機駆動回路８６は、マイコン７６でＧＮＤ端子７４にアース線Ｌｅが接続されていないと判別された場合に、圧縮機駆動信号Ｓ８６が圧縮機５８への通電を不許可する内容となるので通電をせずに圧縮機制御を保留する。
【０１４１】
この例で、上述した電源基板３Ａ’から浴室空調装置３の空調リモコン６には通信ケーブル６ｃが接続される。この通信ケーブル６ｃを使用して、給湯装置４から空調リモコン６へ、大地零電位に維持されるアース線Ｌｅが接続されているか否かの判別結果信号Ｓ６ｃが出力される。
【０１４２】
図１３は、第２の実施例としての給湯装置４のマイコン７６におけるアース線Ｌｅの接続監視例を示すフローチャートである。
【０１４３】
この実施例では、電源基板３Ａ’の接地点ＰとＧＮＤ端子７４とを接続する導電線Ｌｃに流れる漏れ電流ｉｃを検知して、アース線Ｌｅが電源基板３Ａ’のＧＮＤ端子７４に接続されているか否か（有無）を判別し、アース線ＬｅがＧＮＤ端子７４に接続されていない場合、アース線Ｌｅが未接続であることを浴室空調装置３の表示部６ｉに表示し、圧縮機５８やポンプ６１ｃへの通電動作を保留して動作させないようにする場合を挙げる。
【０１４４】
これらを監視条件にして、給湯装置４への電源がオンされると、図１３に示すフローチャートのステップＳＴ２１で給湯装置４のマイコン７６が導電線Ｌｃを流れる漏れ電流ｉｃに関する情報を取得する。このとき、ＺＣＴコイル７２は、電源基板３Ａ’の接地点ＰとＧＮＤ端子７４とを接続する導電線Ｌｃに流れる漏れ電流ｉｃを検知する。検出回路７５は、ＺＣＴコイル７２から出力される漏れ電流検出信号（電流ｉｃ’）を電流電圧変換した漏れ電流検出電圧Ｖｃを給湯装置４のマイコン７６に出力する。
【０１４５】
ステップＳＴ２２で、給湯装置４で大地零電位に維持されるアース線ＬｅがＧＮＤ端子７４に接続されているか否かを判別する。このとき、マイコン７６は、検出回路７５から得られる漏れ電流検出電圧Ｖｃを入力し、漏れ電流検出電圧Ｖｃと０Ｖとが比較され、Ｖｃ＝０Ｖであるか、Ｖｃ＞０Ｖであるかが判別される。判別結果がＶｃ＞０Ｖである場合、すなわち、大地零電位に維持されるアース線ＬｅがＧＮＤ端子７４に接続されている場合は、ステップＳＴ２３に移行する。
【０１４６】
ステップＳＴ２３でマイコン７６は、圧縮機５８やポンプ６１ｃへの通電動作を許可する旨の判別結果信号Ｓ６ｃに基づく信号を出力する。例えば、給湯装置４のマイコン７６は、ポンプ６１ｃへの通電動作を許可する旨のポンプ駆動信号Ｓ８５をポンプ駆動回路８５に出力する。ポンプ駆動回路８５は、ポンプ駆動信号Ｓ８５に基づいてポンプ６１ｃを駆動する。同様にして、マイコン７６は、圧縮機５８への通電動作を許可する旨の圧縮機駆動信号Ｓ８６を圧縮機駆動回路８６に出力する。圧縮機駆動回路８６は、圧縮機駆動信号Ｓ８６に基づいて圧縮機５８に通電する。これにより、給湯装置４での通常動作に移行される。
【０１４７】
また、ステップＳＴ２２で判別結果がＶｃ＝０Ｖである場合、すなわち、大地零電位に維持されるアース線ＬｅがＧＮＤ端子７４に接続されていない場合は、ステップＳＴ２４に移行する。ステップＳＴ２４でマイコン７６は、”アースを接続して下さい”のメッセージを表示部６ｉに表示するような判別結果信号Ｓ６ｃを空調リモコン６のマイコン６９へ通知する。
【０１４８】
マイコン６９は、表示部６ｉに表示データＤ７３を出力する。表示部６ｉは、表示データＤ７３に基づいて給湯装置４のＧＮＤ端子７４に該当のアース線Ｌｅが接続されていない旨を文字情報にて表示し、「ＧＮＤ端子にアース線を接続して下さい。」等のメッセージを表示する。表示内容は、後者のみの表示に止めてもよい。
【０１４９】
そして、ステップＳＴ２５でマイコン７６は、圧縮機５８やポンプ６１ｃ等の通電不許可処理を実行する。このとき、マイコン７６は、ポンプ６１ｃへの通電動作不許可をする旨のポンプ駆動信号Ｓ８５をポンプ駆動回路８５に出力する。ポンプ駆動回路８５は、ポンプ駆動信号Ｓ８５がポンプ６１ｃへの通電を不許可する内容となるので通電をせずにポンプ制御を保留する。
【０１５０】
また、マイコン７６は、圧縮機５８への通電動作不許可をする旨の圧縮機駆動信号Ｓ８６を圧縮機駆動回路８６に出力する。圧縮機駆動回路８６は、圧縮機駆動信号Ｓ８６が圧縮機５８への通電を不許可する内容となるので通電をせずに圧縮制御を保留する。これにより、給湯装置４では通常動作に移行することなく停止したままとなされる。
【０１５１】
その後、給湯装置４でアース線ＬｅがＧＮＤ端子７４に接続された場合は、マイコン７６をリセットし、又は、自動で導電線Ｌｃを流れる漏れ電流ｉｃを検知することにより通電動作が可能な状態となされる。
【０１５２】
このように、第２の実施例としての浴室空調システム１における給湯装置４によれば、本発明に係るアース接続監視装置１００が備えられ、給湯装置４のマイコン７６では、大地零電位に維持されるアース線ＬｅがＧＮＤ端子７４に接続されているか否かを漏れ電流検出電圧Ｖｃに基づいて判別するようになされる。
【０１５３】
従って、漏れ電流ｉｃが導電線Ｌｃに流れる場合は、当該給湯装置４のＧＮＤ端子７４に大地零電位に維持されるアース線Ｌｅが接続されていると判別することができ、また、漏れ電流ｉｃが導電線Ｌｃに流れない場合は、そのＧＮＤ端子７４に該当のアース線Ｌｅが接続されていないと判別できるようになる。
【０１５４】
これにより、「アース線ＬｅがＧＮＤ端子７４に接続されていない旨」等を表示できるようになるので、電源基板３Ａ’でＡＣ電源ラインＬａ，Ｌｂに接続されたコンデンサ７１の接地点Ｐと、ＧＮＤ端子７４との間が導電線Ｌｃにより接続された給湯装置４における感電を防止できるようになる。アース線ＬｅをＧＮＤ端子７４に接続することによって、安全性が保たれる。
【０１５５】
なお、給湯装置４のマイコン７６により常時又は定期的にアース線Ｌｅの接続状況を監視するようにすることにより、当該給湯装置４でアース線Ｌｅが外された、そのアース線Ｌｅが断線した等のトラブルも検知できるようになる。
【実施例３】
【０１５６】
図１４は、第３の実施例としてのミスト発生装置２におけるアース接続監視装置１００及びその周辺回路の構成例を示すブロック図である。
【０１５７】
図１４に示すミスト発生装置２は、電磁弁ユニット２Ａ、電源部ユニット２Ｂ（機器本体）、ノズルユニット２Ｃ，ＺＣＴコイル７２及びＧＮＤ端子７４及び電源端子台３Ｂを有している。電源端子台３Ｂには電源端子７８，７９が設けられる。ＧＮＤ端子７４は、電源部ユニット２Ｂの電源端子台３Ｂの所定位置に設けられている。電源部ユニット２Ｂは、金属板を所定の形状に加工した、図示しない筐体に実装されるものであり、当該電源部ユニット２Ｂの筐体アース位置には接地点Ｐが設けられる。
【０１５８】
電源部ユニット２Ｂには、コイル用の端子３Ｃ、コンデンサ７１、検知処理ユニット７３の他にノズルユニット駆動回路８７、電磁弁駆動回路８８、変圧器８３及び整流平滑回路８４が設けられる。ＺＣＴコイル７２及び検知処理ユニット７３は、本発明に係るアース接続監視装置１００を構成し、電源部ユニット２ＢのＧＮＤ端子７４に大地零電位に維持されるアース線Ｌｅが接続されているかを監視する。
【０１５９】
この例で、ＡＣ電源ラインＬａ，Ｌｂは、電源端子７８，７９を介してコンデンサ７１、ノズルユニット駆動回路８７、電磁弁駆動回路８８及び変圧器８３に接続されている。なお、コンデンサ７１、接地点Ｐ、ＺＣＴコイル７２、ＧＮＤ端子７４、導電線Ｌｃの接続方法、検知処理ユニット７３の内部構成例、及び、マイコン７６における判別機能例については第１及び第２の実施例と同様であるので、その説明を省略する。
【０１６０】
この例で、マイコン７６の判別結果から得られるノズル駆動信号Ｓ８７は、ノズルユニット駆動回路８７に出力され、電磁弁駆動信号Ｓ８８は、電磁弁駆動回路８８に各々出力される。判別結果信号Ｓ７ａは、マイコン７６から空調リモコン６へ出力される。
【０１６１】
上述のＡＣ電源ラインＬａ，Ｌｂに接続された変圧器８３は、ＡＣ電源電圧を低圧用の電源に変換する。整流平滑回路８４はＡＣ５Ｖの電圧を整流平滑して直流（ＤＣ）電源を検出回路７５、マイコン７６、ノズルユニット駆動回路８７、電磁弁駆動回路８８に供給するようになされる。
【０１６２】
整流平滑回路８４からＤＣ電源の供給を受けたマイコン７６は、判別結果に基づいてノズル駆動信号Ｓ８７及び電磁弁駆動信号Ｓ８８を出力する。例えば、マイコン７６は、ＧＮＤ端子７４に大地零電位に維持されるアース線Ｌｅが接続されていないと判別した場合に、ノズルユニット２Ｃへの通電動作を停止させるためのノズル駆動信号Ｓ８７をノズルユニット駆動回路８７に出力する。同様にして、電磁弁ユニット２Ａへの通電動作を停止させるための電磁弁駆動信号Ｓ８８を電磁弁駆動回路８８に出力する。
【０１６３】
この例で、マイコン７６にはノズルユニット駆動回路８７が接続され、マイコン７６から出力されるノズル駆動信号Ｓ８７に基づいてノズルユニット２Ｃを駆動制御するようになされる。ノズルユニット駆動回路８７は、マイコン７６でＧＮＤ端子７４にアース線Ｌｅが接続されていないと判別された場合に、ノズル駆動信号Ｓ８７がノズルユニット２Ｃへの通電を不許可する内容となるので通電をせずにノズルユニット制御を保留する。
【０１６４】
この例で、マイコン７６には電磁弁駆動回路８８が接続され、マイコン７６から出力される電磁弁駆動信号Ｓ８８に基づいて電磁弁ユニット２Ａを駆動制御するようになされる。電磁弁駆動回路８８は、マイコン７６でＧＮＤ端子７４にアース線Ｌｅが接続されていないと判別された場合に、電磁弁駆動信号Ｓ８８が電磁弁ユニット２Ａ５への通電を不許可する内容となるので通電をせずに電磁弁制御を保留する。
【０１６５】
この例で、上述した電源部ユニット２Ｂから浴室空調装置３の空調リモコン６には通信ケーブル７ａが接続される。この通信ケーブル７ａを使用して、ミスト発生装置２から空調リモコン６へ、大地零電位に維持されるアース線Ｌｅが接続されているか否かの判別結果信号Ｓ７ａが出力される。
【０１６６】
図１５は、第３の実施例としてのミスト発生装置２のマイコン７６におけるアース線Ｌｅの接続監視例を示すフローチャートである。
【０１６７】
この実施例では、電源部ユニット２Ｂの接地点ＰとＧＮＤ端子７４とを接続する導電線Ｌｃに流れる漏れ電流ｉｃを検知して、アース線Ｌｅが電源部ユニット２ＢのＧＮＤ端子７４に接続されているか否か（有無）を判別し、アース線ＬｅがＧＮＤ端子７４に接続されていない場合、アース線Ｌｅが未接続であることを浴室空調装置３の表示部６ｉに表示し、電磁弁ユニット２Ａやノズルユニット２Ｃへの通電動作を保留して動作させないようにする場合を挙げる。
【０１６８】
これらを監視条件にして、ミスト発生装置２への電源がオンされると、図１５に示すフローチャートのステップＳＴ３１でマイコン７６が導電線Ｌｃを流れる漏れ電流ｉｃに関する情報を取得する。このとき、ＺＣＴコイル７２は、電源部ユニット２Ｂの接地点ＰとＧＮＤ端子７４とを接続する導電線Ｌｃに流れる漏れ電流ｉｃを検知する。検出回路７５は、ＺＣＴコイル７２から出力される漏れ電流検出信号（電流ｉｃ’）を電流電圧変換した漏れ電流検出電圧Ｖｃをマイコン７６に出力する。
【０１６９】
ステップＳＴ３２で、ミスト発生装置２で大地零電位に維持されるアース線ＬｅがＧＮＤ端子７４に接続されているか否かを判別する。このとき、マイコン７６は、検出回路７５から得られる漏れ電流検出電圧Ｖｃを入力し、漏れ電流検出電圧Ｖｃと０Ｖとが比較され、Ｖｃ＝０Ｖであるか、Ｖｃ＞０Ｖであるかが判別される。判別結果がＶｃ＞０Ｖである場合、すなわち、大地零電位に維持されるアース線ＬｅがＧＮＤ端子７４に接続されている場合は、ステップＳＴ３３に移行する。
【０１７０】
ステップＳＴ３３でマイコン７６は、電磁弁ユニット２Ａやノズルユニット２Ｃへの通電動作を許可する旨の判別結果信号Ｓ７ａに基づく信号を出力する。例えば、マイコン７６は、ノズルユニット２Ｃへの通電動作を許可する旨のノズル駆動信号Ｓ８７をノズルユニット駆動回路８７に出力する。ノズルユニット駆動回路８７は、ノズル駆動信号Ｓ８７に基づいてノズルユニット２Ｃを駆動する。同様にして、マイコン７６は、電磁弁ユニット２Ａへの通電動作を許可する旨の電磁弁駆動信号Ｓ８８を電磁弁駆動回路８８に出力する。電磁弁駆動回路８８は、電磁弁駆動信号Ｓ８８に基づいて電磁弁ユニット２Ａに通電する。これにより、ミスト発生装置２での通常動作に移行される。
【０１７１】
また、ステップＳＴ３２で判別結果がＶｃ＝０Ｖである場合、すなわち、大地零電位に維持されるアース線ＬｅがＧＮＤ端子７４に接続されていない場合は、ステップＳＴ３４に移行する。ステップＳＴ３４でマイコン７６は、”アースを接続して下さい”のメッセージを表示部６ｉに表示するような判別結果信号を空調リモコン６のマイコン６９へ通知する。
【０１７２】
マイコン６９は、表示部６ｉに表示データＤ７３を出力する。表示部６ｉは、表示データＤ７３に基づいてミスト発生装置２のＧＮＤ端子７４に該当のアース線Ｌｅが接続されていない旨を文字情報にて表示し、「ＧＮＤ端子にアース線を接続して下さい。」等のメッセージを表示する。表示内容は、後者のみの表示に止めてもよい。
【０１７３】
そして、ステップＳＴ３５でマイコン７６は、電磁弁ユニット２Ａやノズルユニット２Ｃ等の通電不許可処理を実行する。このとき、マイコン７６は、ノズルユニット２Ｃへの通電動作不許可をする旨のノズル駆動信号Ｓ８７をノズルユニット駆動回路８７に出力する。ノズルユニット駆動回路８７は、ノズル駆動信号Ｓ８７がノズルユニット２Ｃへの通電を不許可する内容となるので通電をせずにノズルユニット制御を保留する。
【０１７４】
また、マイコン７６は、電磁弁ユニット２Ａへの通電動作不許可をする旨の電磁弁駆動信号Ｓ８８を電磁弁駆動回路８８に出力する。電磁弁駆動回路８８は、電磁弁駆動信号Ｓ８８が電磁弁ユニット２Ａへの通電を不許可する内容となるので通電をせずに電磁弁制御を保留する。これにより、ミスト発生装置２では通常動作に移行することなく停止したままとなされる。
【０１７５】
その後、ミスト発生装置２でアース線ＬｅがＧＮＤ端子７４に接続された場合は、マイコン７６をリセットし、又は、自動で導電線Ｌｃを流れる漏れ電流ｉｃを検知することにより通電動作が可能な状態となされる。
【０１７６】
このように、第３の実施例としての浴室空調システム１におけるミスト発生装置２によれば、本発明に係るアース接続監視装置１００が備えられ、そのマイコン７６では、大地零電位に維持されるアース線ＬｅがＧＮＤ端子７４に接続されているか否かを漏れ電流検出電圧Ｖｃに基づいて判別するようになされる。
【０１７７】
従って、漏れ電流ｉｃが導電線Ｌｃに流れる場合は、当該ミスト発生装置２のＧＮＤ端子７４に大地零電位に維持されるアース線Ｌｅが接続されていると判別することができ、また、漏れ電流ｉｃが導電線Ｌｃに流れない場合は、そのＧＮＤ端子７４に該当のアース線Ｌｅが接続されていないと判別できるようになる。
【０１７８】
これにより、「アース線ＬｅがＧＮＤ端子７４に接続されていない旨」等を表示できるようになるので、電源部ユニット２ＢでＡＣ電源ラインＬａ，Ｌｂに接続されたコンデンサ７１の接地点Ｐと、ＧＮＤ端子７４との間が導電線Ｌｃにより接続されたミスト発生装置２における感電を防止できるようになる。アース線ＬｅをＧＮＤ端子７４に接続することによって、安全性が保たれる。
【０１７９】
なお、ミスト発生装置２のマイコン７６により常時又は定期的にアース線Ｌｅの接続状況を監視することにより、当該ミスト発生装置２でアース線Ｌｅが外された、そのアース線Ｌｅが断線した等のトラブルも検知できるようになる。
【０１８０】
上述した各実施例では、ＡＣ電源ラインＬａ、Ｌｂの両方にコンデンサ７１を接続して、漏れ電流ｉｃを検知する場合について説明したが、これに限られることはなく、高電位（活電）側が最初から明確になっている場合は、その高電位（活電）側にのみ静電容量Ｃａ又はＣｂを接続して、その静電容量Ｃａ又はＣｂを流れる漏れ電流ｉｃを検知して、アース線がＧＮＤ端子７４に接続されているかを判別するようにしてもよい。また、ＡＣ電源ラインＬａ、Ｌｂ−ＧＮＤ間の電位差を検出して、アース線ＬｅがＧＮＤ端子７４に接続されているかを検知するようにしてもよい。
【０１８１】
なお、コンデンサ７１の筐体内の接地点Ｐは、ＺＣＴコイル７２が取り付けられる位置よりも前段に配置されることが好ましい。また、接地点ＰとＧＮＤ端子７４とを導電線Ｌｃで接続することが好ましい。これは、アース線ＬｅがＧＮＤ端子７４に接続されているかを確認するため、筐体が接地された場合に、検知回路７５が誤反応しないようにするためである。
【０１８２】
上述した電気機器に関しては、浴室空調装置や、ミスト発生装置、給湯装置等の場合について説明したが、これに限られることはく、接地用の端子を備えた、ゴミ処理装置、洗濯機、冷蔵庫、ポンプ、用紙処理装置等の全ての電気機器に応用することができる。
【産業上の利用可能性】
【０１８３】
この発明は、電源供給線に接続されて動作する浴室空調装置や、ミスト発生装置、給湯装置、ゴミ処理装置、洗濯機、冷蔵庫、ポンプ、用紙処理装置、電気式床暖房機、自動販売機等の電気機器に設けられた接地用の端子に、大地零電位に維持される接地線が接続されているか否かを監視するアース監視システムに適用して極めて好適である。
【図面の簡単な説明】
【０１８４】
【図１】本発明に係る実施形態としてのアース接続監視装置１００の構成例を示すブロック図である。
【図２】アース接続監視装置１００の動作例（その１）を示す回路図である。
【図３】アース接続監視装置１００の動作例（その２）を示す回路図である。
【図４】アース接続監視装置１００の動作例（その３）を示す回路図である。
【図５】アース接続監視装置１００の動作例（その４）を示す回路図である。
【図６】各実施例としてのアース接続監視装置１００が応用される浴室空調システム１の構成例を示す概念図である。
【図７】浴室空調装置３の構成例を示す断面図である。
【図８】浴室空調装置３におけるアース接続監視装置１００及びその周辺回路の構成例を示すブロック図である。
【図９】浴室空調装置３の空調リモコン（主操作部）６の操作面の構成例を示す正面図である。
【図１０】第１の実施例としての浴室空調装置３のマイコン７６におけるアース線Ｌｅの接続監視例を示すフローチャートである。
【図１１】第２の実施例に係るヒートポンプ式の給湯装置４の構成例を示すブロック図である。
【図１２】給湯装置４におけるアース接続監視装置１００及びその周辺回路の構成例を示すブロック図である。
【図１３】給湯装置４のマイコン７６におけるアース線Ｌｅの接続監視例を示すフローチャートである。
【図１４】第３の実施例としてのミスト発生装置２におけるアース接続監視装置１００及びその周辺回路の構成例を示すブロック図である。
【図１５】ミスト発生装置２のマイコン７６におけるアース線Ｌｅの接続監視例を示すフローチャートである。
【符号の説明】
【０１８５】
１  浴室空調システム
２  ミスト発生装置（電気機器）
２Ｂ  電源部ユニット（基板）
３Ｂ  電源基板
３  浴室空調装置（電気機器）
４  給湯装置（電気機器）
５，１２，３５  モータ
６ｉ  表示部
１０  ヒータ
１７  本体ケース（筐体）
７０  筐体
７１  コンデンサ（静電容量）
７２  ＺＣＴコイル（検出部）
７３  検知処理ユニット
７４  ＧＮＤ端子（接地用の端子）
７５  検知回路  
７６  マイコン（判定部）
１００  アース線接続監視装置
７００  電気機器
【図１】
2008096106.tif 000003
【図２】
2008096106.tif 000004
【図３】
2008096106.tif 000005
【図４】
2008096106.tif 000006
【図５】
2008096106.tif 000007
【図６】
2008096106.tif 000008
【図７】
2008096106.tif 000009
【図８】
2008096106.tif 000010
【図９】
2008096106.tif 000011
【図１０】
2008096106.tif 000012
【図１１】
2008096106.tif 000013
【図１２】
2008096106.tif 000014
【図１３】
2008096106.tif 000015
【図１４】
2008096106.tif 000016
【図１５】
2008096106.tif 000017